(57)【要約】      （修正有）【課題】蓋体を電力により駆動して開閉可能な調理器において、組立性、設計性、およびメンテナンス性を向上させる。【解決手段】炊飯器２は、炊飯器本体と、炊飯器本体に対して回転軸部材１０を介して相対的に回転可能に連結されており、回転軸部材１０を中心として、閉鎖位置と開放位置との間で回転可能な蓋体１２と、蓋体１２に対して回転軸部材１０とは異なる位置に電力により回転力を作用させる駆動装置１８とを備える。また、駆動装置１８は、蓋体１２の外部に、着脱可能に配設されている。【選択図】図２
2017200543.tif 000002
【特許請求の範囲】
【請求項１】
調理器本体と、
前記調理器本体に対して回転軸部材を介して相対的に回転可能に連結されており、前記回転軸部材を中心として、閉鎖位置と開放位置との間で回転可能な蓋体と、
前記蓋体に対して前記回転軸部材とは異なる位置に電力により回転力を作用させる駆動装置と
を備える、調理器。
【請求項２】
前記駆動装置は、前記調理器本体および前記蓋体の外部に設けられている、請求項１に記載の調理器。
【請求項３】
前記駆動装置は、着脱自在に配置されている、請求項１または請求項２に記載の調理器。
【発明の詳細な説明】
【技術分野】
【０００１】
本発明は、調理器に関する。
【背景技術】
【０００２】
調理器等の電気機器の蓋体を開閉する機構は、様々に考案されている。例えば、特許文献１（特開２０１０−２６３９３５号公報）、特許文献２（特開平７−３１３３７１号公報）には、そのような電気機器の蓋体の開閉機構が開示されている。
【０００３】
また、調理器の中には、電力で蓋体を駆動するものがある。そのような電力で蓋体を駆動する調理器が、例えば、特許文献３（実公平７−１９３８３号公報）に開示されている。
【先行技術文献】
【特許文献】
【０００４】
【特許文献１】特開２０１０−２６３９３５号公報
【特許文献２】特開平７−３１３３７１号公報
【特許文献３】実公平７−１９３８３号公報
【発明の概要】
【発明が解決しようとする課題】
【０００５】
調理器の蓋体を電力で駆動する場合、電力を使用して調理器の蓋体を回転させる駆動装置を取り付ける必要がある。調理器において、そのような駆動装置を含めた蓋体の電動開閉機構は、手動で蓋体を開閉する機構と比べて、部品点数が多く複雑になることが多い。
【０００６】
複雑な蓋体の電動開閉機構の構成に伴い、調理器の組立性、設計性、およびメンテナンス性が大きく損なわれるおそれがある。これに対して、特許文献１から特許文献３で開示されている蓋体の開閉機構では、組立性、設計性、およびメンテナンス性が損なわれることを防止する構造について特段の開示も示唆もされていない。特に、特許文献１から特許文献３で開示されている蓋体の開閉機構では、駆動装置が蓋体に回転力を作用する位置を工夫することで、組立性、設計性、およびメンテナンス性を向上できる余地がある。
【０００７】
本発明は、蓋体を電力により駆動して開閉可能な調理器において、組立性、設計性、およびメンテナンス性を向上させることを課題とする。
【課題を解決するための手段】
【０００８】
本発明の調理器は、調理器本体と、前記調理器本体に対して回転軸部材を介して相対的に回転可能に連結されており、前記回転軸部材を中心として、閉鎖位置と開放位置との間で回転可能な蓋体と、前記蓋体に対して前記回転軸部材とは異なる位置に電力により回転力を作用させる駆動装置とを備える。
【０００９】
この構成によれば、回転軸部材とは異なる位置で駆動装置から蓋体に対して回転力を作用させるため、回転軸部材自体に駆動装置から回転力を付与する必要がなく、駆動装置と回転軸部材を分離できる。従って、調理器の組立性、設計性、およびメンテナンス性を向上できる。
【００１０】
具体的には、回転軸部材は、調理器本体と蓋体の両方に連結され、さらに複数の部品を支持して配置され得る。そのため、調理器の中で回転軸部材の配置は概ね固定されており、回転軸部材の配置を設計位置から変更することは困難であることが多い。仮に回転軸部材に駆動装置を直接連結して取り付ける場合、駆動装置の配置の自由度は大きく制限され、即ち調理器の組立性および設計性の自由度が大きく制限される。また、駆動装置の故障等に伴い、メンテナンスを行う場合、仮に駆動装置が回転軸部材と直接連結して配置されていると、駆動装置を取り外すために、回転軸部材を取り外す必要がある。上述の通り、回転軸部材は複数の部品と連結されるため、駆動装置のみの故障であったとしてもその他の多くの部品を伴って回転軸部材を取り外さなければならず、メンテナンスが困難となる。しかし、本発明のように回転軸部材と分離して駆動装置を配置することで、回転軸部材の配置によらずに駆動装置を配置でき、組立性および設計性を向上できると共に、メンテナンスの際も回転軸部材を取り外すことなく駆動装置のみを取り外しでき、メンテナンス性が向上する。
【００１１】
前記駆動装置は、前記調理器本体および前記蓋体の外部に設けられていてもよい。
【００１２】
この構成によれば、駆動装置に対して外部からアクセスすることが容易であるため、駆動装置が故障した場合でも、容易に修理でき、さらに駆動装置を取り外して交換することも容易であり、メンテナンス性が一層向上する。また、調理器の組み立ての際も駆動装置のみを後付けすることができ、組立性および設計性も向上する。
【００１３】
前記駆動装置は、着脱自在に配置されていてもよい。
【００１４】
駆動装置が調理器に対して着脱自在に設けられていることで、駆動装置の故障に伴う駆動装置の交換が容易となり、メンテナンス性が一層向上する。また、蓋体の電動開閉機能が不要な場合は調理器から駆動装置を取り外して使用し、必要な場合は調理器に駆動装置を取り付けて使用するなど、使用状況に応じた汎用性が向上する。
【発明の効果】
【００１５】
本発明によれば、蓋体を電力により駆動して開閉可能な調理器において、駆動装置が蓋体に対して回転軸部材とは異なる位置に電力により回転力を作用するため、回転軸部材と駆動装置を分離でき、調理器の組立性、設計性、およびメンテナンス性を向上できる。
【図面の簡単な説明】
【００１６】
【図１】本発明の第１実施形態に係る開放状態の炊飯器の前方斜視図。
【図２】図１の炊飯器の閉鎖状態の平面図。
【図３】図２の炊飯器の部分的な拡大側面図。
【図４】本発明の第２実施形態に係る閉鎖状態の炊飯器の側面図。
【図５】本発明の第３実施形態に係る閉鎖状態の炊飯器の側面部分断面図。
【発明を実施するための形態】
【００１７】
以下、添付図面を参照して本発明の実施形態を説明する。
【００１８】
＜第１実施形態＞
（本実施形態の炊飯器の構成）
図１は、本発明の第１実施形態に係る炊飯器（調理器）２を示す。炊飯器２は、炊飯鍋４が取出可能に配置される収容部６を有する炊飯器本体（調理器本体）８と、炊飯器本体８に対して回転軸部材１０を介して相対的に回転可能に連結されており、回転軸部材１０を中心として、閉鎖位置と開放位置との間で回転可能な蓋体１２とを備える。回転軸部材１０は、金属等で構成された円柱状であり、炊飯器２の背面側に配置されている。
【００１９】
収容部６の下側の炊飯器本体８内には、加熱手段である誘導加熱コイル（図示せず）が配置されている。蓋体１２の正面側には、炊飯器本体８に対して蓋体１２を閉じた状態に維持するためのロック部材１４が配置されている。また、蓋体１２には、収容部６に配置した炊飯鍋４の上端開口をシールするシール部材１６が配置されている。また、蓋体１２には、炊飯鍋４内で発生した蒸気を外部へ排出する排気通路（図示せず）が設けられている。
【００２０】
炊飯鍋４は、金属製かつ概ね有底円筒状である。炊飯鍋４は、設定された量の飯米と水が収容された状態で収容部６に配置される。炊飯鍋４が収容部６に配置され、蓋体１２が閉じられた状態で、図示しない操作パネルを操作し、炊飯処理を実行することで、上記の誘導加熱コイルが動作される。これにより、この誘導加熱コイルによって炊飯鍋４が誘導加熱され、米飯が炊き上げられる。
【００２１】
図２は、図１の炊飯器２の閉鎖状態の平面図を示す。炊飯器２は、蓋体１２に対して電力により回転力を作用させる駆動装置１８を備える。本実施形態の駆動装置１８は、炊飯器本体８および蓋体１２の外部に設けられている。具体的には、駆動装置１８は、炊飯器本体８の側面に取り付けられている。駆動装置１８は、内部にモータ（図示せず）を備える駆動本体部２０と、このモータからの動力を受け、一端２２を軸支された状態で他端２４が回転運動するレバー部材２６とを備える。
【００２２】
また、蓋体１２の側面には、レバー部材２６からの力が伝達される作用点として機能する２つの円柱状の突起２８が設けられている。２つの突起２８は、レバー部材２６が通過できる程度の間隔を空けて、蓋体１２の側面から蓋体１２の外側に向かって突出している。本実施形態の突起２８は、蓋体１２とは別部材で構成されているが、蓋体１２と一体であってもよい。また、突起２８の位置および形状も、後述するように蓋体１２の電動開閉機能を達成できる限り、さらに言えば作用点として機能できるものであれば特に限定されない。
【００２３】
図３は、図２の炊飯器２の部分的な拡大側面図を示す。駆動装置１８のレバー部材２６は、２つの突起２８の間を通って延びるように配置されている。従って、駆動装置１８は、炊飯器２の内部に配置された回転軸部材１０とは異なる位置に配置されている突起２８に、レバー部材２６を介して回転力を作用させる。
【００２４】
（本実施形態の炊飯器の作用）
本実施形態の炊飯器２の蓋体１２は、電力により駆動されて開閉する。この駆動は、駆動装置１８によって行われる。具体的には、ユーザが蓋体１２の前面にある自動開閉スイッチ３０（図１参照）を押下すると、駆動装置１８のレバー部材２６が回転される（図３参照）。レバー部材２６が回転されると、レバー部材２６の他端２４が突起２８に当接し、レバー部材２６が突起２８を押し上げるか、または押し下げるように、レバー部材２６から突起２８に力が伝達される。突起２８は蓋体１２に固定されているため、蓋体１２に回転力として力が伝達され、蓋体１２が開閉される。本実施形態では、自動開閉スイッチ３０は、蓋体１２の前面に一つ設けられており、蓋体１２が閉鎖状態のときに自動開閉スイッチ３０を押下すると蓋体１２は開放され、蓋体１２が開放状態のときに自動開閉スイッチ３０を押下すると蓋体１２は閉鎖される。
【００２５】
なお、本実施形態では、２つの突起２８を設け、蓋体１２の電動開放と電動閉鎖の両方を可能にしているが、電動開放または電動閉鎖のみを実行する構成を採用してもよい。その場合、突起２８はいずれか一方のみ設けられていればよい。
【００２６】
（本実施形態の炊飯器の効果）
図２に示すように、本実施形態の炊飯器２の構成によれば、回転軸部材１０とは異なる位置（突起２８）で、駆動装置１８から蓋体１２に対して回転力を作用させるため、回転軸部材１０自体に駆動装置１８から回転力を付与する必要がなく、駆動装置１８と回転軸部材１０を分離できる。従って、炊飯器２の組立性、設計性、およびメンテナンス性を向上できる。
【００２７】
具体的には、回転軸部材１０は、炊飯器本体８と蓋体１２の両方に連結され、さらに複数の部品を支持して配置され得る。そのため、炊飯器２の中で回転軸部材１０の配置は概ね固定されており、回転軸部材１０の配置を設計位置から変更することは困難であることが多い。仮に回転軸部材１０に駆動装置１８を直接連結して取り付ける場合、駆動装置１８の配置の自由度は大きく制限され、即ち炊飯器２の組立性および設計性の自由度が大きく制限される。また、駆動装置１８の故障等に伴い、メンテナンスを行う場合、仮に駆動装置１８が回転軸部材１０と直接連結して配置されていると、駆動装置１８を取り外すために、回転軸部材１０を取り外す必要がある。上述の通り、回転軸部材１０は複数の部品と連結されるため、駆動装置１８のみの故障であったとしてもその他の多くの部品を伴って回転軸部材１０を取り外さなければならず、メンテナンスが困難となる。しかし、本実施形態の炊飯器２のように回転軸部材１０と分離して駆動装置１８を配置することで、回転軸部材１０の配置によらずに駆動装置１８を配置でき、組立性および設計性を向上できると共に、メンテナンスの際も回転軸部材１０を取り外すことなく駆動装置１８のみを取り外しでき、メンテナンス性が向上している。
【００２８】
また、駆動装置１８が炊飯器本体８および蓋体１２の外部に設けられているため、駆動装置１８に対して外部からアクセスすることが容易である。従って、駆動装置１８が故障した場合でも、容易に修理でき、さらに駆動装置１８を取り外して交換することも容易であり、メンテナンス性が一層向上している。また、炊飯器２の組み立ての際も駆動装置１８のみを後付けすることができ、組立性および設計性も向上している。
【００２９】
＜第２実施形態＞
図４は、本発明の第２実施形態に係る炊飯器２の側面図を示す。駆動装置１８の配置に関する部分以外の構成は第１実施形態と同様である。従って、第１実施形態に示した構成と同様の部分については説明を省略する。
【００３０】
本実施形態の駆動装置１８は、炊飯器２の背面側に着脱自在に配置されている。本実施形態の炊飯器２では、駆動装置１８を取り付けるための取付部３２が設けられている。取付部３２は、駆動装置１８の外形と相補的な凹形状を有し、外部に露出している。即ち、駆動装置１８もまた、取付部３２に取り付けられた状態で外部に露出している。
【００３１】
蓋体１２内には、２つの突起２８が、レバー部材２６の通過できる程度の間隔を空けて固定配置されている。駆動装置１８が取付部３２に取り付けられた状態では、レバー部材２６は蓋体１２内で２つの突起２８の間を通って延びている。従って、第１実施形態と同様に、駆動装置１８の回転力は、レバー部材２６および突起２８を介して蓋体１２に伝達される。
【００３２】
図４は、駆動装置１８を取り付けた状態を示しているが、本実施形態の駆動装置１８は着脱自在に配置されている。駆動装置１８を取り付ける際は、先にレバー部材２６の他端２４を蓋体１２内の２つの突起２８の間に配置し、次に駆動本体部２０を取付部３２に配置する。駆動装置１８を取り外す際は、先に駆動本体部２０を取付部３２から取り外し、レバー部材２６を蓋体１２から引き抜く。
【００３３】
本実施形態の炊飯器２のように、駆動装置１８が炊飯器２に対して着脱自在に設けられていることで、駆動装置１８の故障に伴う駆動装置１８の交換が容易となっており、メンテナンス性が一層向上している。また、蓋体１２の電動開閉機能が不要な場合は炊飯器２から駆動装置１８を取り外して使用し、必要な場合は炊飯器２に駆動装置１８を取り付けて使用するなど、使用状況に応じた汎用性が向上している。
【００３４】
＜第３実施形態＞
図５は、本発明の第３実施形態に係る炊飯器２の側面部分断面図を示す。駆動装置１８の配置に関する部分以外の構成は第２実施形態と同様である。従って、第２実施形態に示した構成と同様の部分については説明を省略する。
【００３５】
本実施形態の駆動装置１８は、炊飯器本体８の背面側内部に配置されている。第２実施形態では、駆動装置１８を着脱可能とするため、駆動装置１８が外部に露出していたが、本実施形態の駆動装置１８は、外部に露出しておらず、炊飯器本体８内に収容されている。
【００３６】
このように、駆動装置１８は、必ずしも炊飯器本体８の外部に配置されていなくてもよい。駆動装置１８が炊飯器本体８の内部に配置されていることで、炊飯器２の外観上の美観を損なうこともなく、また駆動装置１８を外部の衝撃から保護できる。
【００３７】
また、本実施形態においても、第１および第２実施形態と同様に、回転軸部材１０とは異なる位置（突起２８）で、駆動装置１８から蓋体１２に対して回転力を作用させているため、炊飯器２の組立性、設計性、およびメンテナンス性を確保できている。
【００３８】
以上に、本発明の具体的な実施形態やその変形例について説明したが、本発明は上記形態に限定されるものではなく、この発明の範囲内で種々変更して実施することができる。例えば、個々の実施形態の内容を適宜組み合わせたものを、この発明の一実施形態としてもよい。
【符号の説明】
【００３９】
２  炊飯器（調理器）
４  炊飯鍋
６  収容部
８  炊飯器本体（調理器本体）
１０  回転軸部材
１２  蓋体
１４  ロック部材
１６  シール部材
１８  駆動装置
２０  駆動本体部
２２  一端
２４  他端
２６  レバー部材
２８  突起
３０  自動開閉スイッチ
３２  取付部
【図１】
2017200543.tif 000003
【図２】
2017200543.tif 000004
【図３】
2017200543.tif 000005
【図４】
2017200543.tif 000006
【図５】
2017200543.tif 000007